(57)【特許請求の範囲】
【請求項１】
テープ主体部(3,23,33,53)の一側縁に沿って複数のウェールからなるエレメント取付部(2,22,32,52)が一体に編成されてなる経編組織からなるスライドファスナー用の細幅ファスナーテープ(1,21,31,51)であって、
前記エレメント取付部(2,22,32,52)には、少なくとも、
隣り合う２以上のウェールに渡って、ニードルループを形成しながらジグザグに走行する第１の経編組織を構成する経編糸(11,13) と、
同じくニードルループを形成しながらジグザグに走行する前記第１の経編組織とは異なる第２の経編組織を構成する経編糸(16,18) と、
隣り合う２以上のウェールに渡って走行する緯挿入糸(14,17) と、
が配されてなり、
前記第１の経編組織の前記ニードルループが１つのウェール上で１コースおきの前記第２の経編組織の前記ニードルループと交絡してなる、
ことを特徴とするファスナーテープ。
【請求項２】
前記エレメント取付部(2,22,52)は、トリコット編糸(11)と、鎖編糸(12)と、シングルコード編糸(13,16)とから形成される編組織により構成されてなる
ことを特徴とする請求項１記載のファスナーテープ。
【請求項３】
前記エレメント取付部(2,22,52)の各コース間において、前記シングルコード編糸(13,16)のシンカーループと前記緯挿入糸(14,17)とが互いに交差し、同エレメント取付部(2,22,52)の最も外側に形成される第１ウェール(W1)に前記シングルコード編糸(13,16)と前記緯挿入糸(14,17)とが交互に配されてなることを特徴とする請求項２記載のファスナーテープ。
【請求項４】
前記緯挿入糸(14,17)は、前記シングルコード編糸(13,16)が走行するウェール数よりも１つ以上少ないウェール間に跨って挿入されてなることを特徴とする請求項３記載のファスナーテープ。
【請求項５】
前記エレメント取付部(2,22,52)に、経挿入糸(15)が更に挿入されてなることを特徴とする請求項２〜４のいずれかに記載のファスナーテープ。
【請求項６】
前記エレメント取付部(32)は、トリコット編糸(11)と、トリコット型二目編糸(18)と、一部のウェールに配される鎖編糸(12)とから形成される編組織により構成されてなる
ことを特徴とする請求項１記載のファスナーテープ。
【請求項７】
前記エレメント取付部(32)の各コース間において、前記トリコット型二目編糸(18)のシンカーループと前記緯挿入糸(14)とが互いに交差し、同エレメント取付部(32)の最も外側に形成される第１ウェール(W1)に前記トリコット型二目編糸(18)と前記緯挿入糸(14)とが交互に配されてなることを特徴とする請求項６記載のファスナーテープ。
【請求項８】
前記緯挿入糸(14)は、前記トリコット型二目編糸(18)が走行するウェール数よりも１つ以上少ないウェール間に跨って挿入されてなることを特徴とする請求項７記載のファスナーテープ。
【請求項９】
前記エレメント取付部(32)に、経挿入糸(15)が更に挿入されてなることを特徴とする請求項６〜８のいずれかに記載のファスナーテープ。
【請求項１０】
請求項１〜９のいずれかに記載のファスナーテープ(1,21,31,51)の前記エレメント取付部(2,22,32,52)にファスナーエレメント列(41)が取り付けられてなることを特徴とするファスナーストリンガー。
【発明の詳細な説明】
【技術分野】
【０００１】
本発明は、経編組織からなるスライドファスナー用の細幅ファスナーテープ、及び、同ファスナーテープに連続状のファスナーエレメント列が取り付けられたファスナーストリンガーに関し、具体的には、編物が本来有する柔らかさを備えるとともに、エレメント取付部が長手方向に伸長し難く、且つエレメント取付部の強度が向上した細幅ファスナーテープ及びファスナーストリンガーに関する。
【背景技術】
【０００２】
近年、スライドファスナーが各種の柔軟な衣料にも取り付けられるようになってきており、ファスナーテープ自体の柔軟性が要求されている。そこで、織物等に比べて柔軟性に富み、また、形態の安定性にも優れるという観点から、経編組織からなるファスナーテープが広く用いられるようになってきている。一般に、スライドファスナーに使用される経編組織のファスナーテープは、衣服等のような被着物と縫着するテープ主体部と、同テープ主体部の一側縁に沿って形成されるエレメント取付部とを有しており、このエレメント取付部にコイル状に成形された連続状のファスナーエレメント列が縫工により取り付けられる。
【０００３】
このようなスライドファスナー用ファスナーテープの一例が、特開昭５５−１０９１８号公報（特許文献１）や特許第３４３９５７４号公報（特許文献２）等に記載されている。例えば、前記特許文献１に記載されているスライドファスナー用テープは、テープ主体部（同文献では、中間帯域と記載）の一側縁に沿ってエレメント取付部（同文献では、務歯取付帯域と記載）を有しており、更にエレメント取付部と反対側の側縁には耳部（同文献では、側縁帯域と記載）を有している。
【０００４】
この特許文献１において、前記テープ主体部の地組織は、４ウェールに跨って走行するシングルコード編糸と、トリコット編糸とから構成されており、シングルコード編糸としてはテクスチャード糸が使用され、トリコット編糸としてはマルチフィラメント糸が使用されている。更に、前記エレメント取付部及び耳部は、テープ主体部の地組織に更にマルチフィラメント糸からなる鎖編糸が交絡されるとともに、マルチフィラメント糸からなる経挿入糸が各ウェールにジグザグ状に挿入されて構成されている。
【０００５】
一方、前記特許文献２は、エレメント取付部では長手方向の伸縮が抑制され、テープ主体部では長手方向に伸縮可能な機能を備えたスライドファスナー用のファスナーテープに関する発明を開示している。この特許文献２に実施例の１つとして記載されているファスナーテープは、テープ主体部の地組織が、マルチフィラメント糸によるトリコット編糸と、テクスチャード糸による４ウェールに跨って配されるシングルコード編糸とから構成されている。また、同テープ主体部の一側縁に形成されるエレメント取付部は、テープ主体部の地組織に、マルチフィラメント糸による鎖編糸と、マルチフィラメント糸による経挿入糸とが配されている。
【０００６】
また、特許文献２に別の実施例として記載されているファスナーテープは、全ウェールに渡って配されるマルチフィラメント糸による二目編糸と、テープ主体部に４ウェールに跨って配されるテクスチャード糸によるシングルコード編糸と、エレメント取付部に配されるマルチフィラメント糸による鎖編糸と、エレメント取付部及び同エレメント取付部側のテープ主体部を構成するウェールに対し、４ウェールに跨って配されるテクスチャード糸による緯挿入糸とが配されている。
【０００７】
更に、特許文献２に記載されている上記２種類のファスナーテープは、エレメント取付部の最も外側に形成されるウェールに、エレメント取付部のその他のウェールに配される鎖編糸よりも太い鎖編糸が配されている。また、その反対側でテープ主体部の最も外側縁に配される編糸にも、その他のテープ主体部に配される編糸よりも太い編糸が使用されている。
【０００８】
従って、特許文献２のファスナーテープは、エレメント取付部の縁部が太い編糸で補強されているため、ファスナーエレメントを安定して装着することが可能となる。更に、テープ主体部は伸縮可能な編組織であるから、被着物に順応した縫製手段を用いることができる。しかも、テープ主体部の縁部が二種の太い編糸の交絡によって補強されているため、テープの破損を防ぐとともに、被着物への縫着を体裁良く行えるといった利点も得られる。
【０００９】
一方、上述のようなファスナーテープに連続状のファスナーエレメント列を縫工により取り付けたスライドファスナーの他に、例えば、２列の針床を有するダブル経編機を使用してファスナーテープを編成すると同時に、そのエレメント取付部に連続状のファスナーエレメント列を編込むことにより取り付けた編込みスライドファスナーが知られている。このような編込みスライドファスナーの一例が、例えば特許第３３９６３３５号公報（特許文献３）や特開２００５−２３００４０号公報（特許文献４）等に記載されている。
【００１０】
前記特許文献３に記載のスライドファスナーでは、テープ主体部が、鎖編糸と、トリコット編糸と、４ウェールに跨って挿入される緯挿入糸とから構成されている。また、エレメント取付部は、トリコット編糸と、緯挿入糸と、エレメント取付部の最外側に配される鎖編糸とにより編成される地組織に、緻密なダブル鎖編組織で編成される固定用鎖編糸がファスナーエレメント列を編み込んで固定している。
【００１１】
特に、特許文献３では、複数の固定用鎖編糸のうち、ファスナーエレメントの噛合頭部寄りの固定用鎖編糸の太さを、残りの固定用鎖編糸の太さよりも太くしている。それとともに、固定用鎖編糸のニードルループがエレメントの上脚部の上面を押し付けるようにし、且つ、そのシンカーループでエレメントの上下脚部を強力に締め付けるようにしている。これにより、最も太い前記固定用鎖編糸のエレメントに対する締付け力及び接触面積が増加して、エレメントがファスナーテープに強固に取付けられる。更に、特許文献３によれば、エレメントの上下脚部の取付状態がより安定化し、例えばスライドファスナーのファスナー面に対して強力な折曲げ力や突上げ力が作用した場合でも、ファスナーエレメント列の噛合割れを防止できるとしている。
【００１２】
しかし、特許文献３のようなダブル経編機を用いてファスナーテープを編成する場合には、ダブル組織の鎖編糸、シングルの鎖編糸、トリコット編糸などを交絡して１本のニードルにより編目を作るため、連続状のファスナーエレメント列を固定用編糸で固定する際にニードルにかかる負荷が非常に大きくなる。このため、ニードルの折損や各編糸に目飛びなどが頻繁に発生し、高速編成が極めて難しい状況にあった。また、前記特許文献３の編込みスライドファスナーのように、エレメント固定用のダブル鎖編糸にてエレメントの頭部側の脚部部分を強固に固定する場合には、編糸が補強されて噛合強度が高くなる反面、開閉時のエレメントの動きが少なくなるため、スライダーの摺動操作が重くなる傾向があるといった不具合もあった。
【００１３】
そこで、このような問題を解消するために、前記特許文献４に記載されている編込みスライドファスナーにおいては、エレメント取付部がシングル組織からなる地鎖編糸とダブル組織からなる３本以上の固定用鎖編糸とから基本的に構成されている。また、ダブル組織の固定用鎖編糸は、一方のニードルループが連続状ファスナーエレメント列の脚部を跨いで押え付けるとともに、他方のニードルループが地編糸のニードルループと絡み合わせて連続状ファスナーエレメント列を載置する地組織を構成している。
【００１４】
このような特許文献４に記載の編込みスライドファスナーであれば、ダブル組織及びシングル組織が共に鎖編組織により構成され、しかも各ニードルでは２本以上の編糸の交絡がない。このため、編成時にニードルに過負荷がかからずに、折損や目飛びなどの発生を防止できる。また、特許文献４では、ダブル編糸及びシングル編糸が同じ鎖編組織により編成されるため、編機では余分な運動が不要となり、高速運転が可能になる。
【００１５】
更に、固定用鎖編糸と地鎖編糸とからエレメント取付部の地組織を構成しているので、エレメント取付部では長手方向の伸長が適度に抑えられる。その上、固定用鎖編糸のニードルループがファスナーエレメントの上下両面に配されるとともに、シンカーループがファスナーエレメントを挟み込むことによりファスナーエレメントを締付け固定している。このため、ファスナーエレメント列の取付強度が高く、しかもファスナーエレメントの表面部分が柔らかくなり、スライダーの摺動性も向上するとしている。
【特許文献１】特開昭５５−１０９１８号公報
【特許文献２】特許第３４３９５７４号公報
【特許文献３】特許第３３９６３３５号公報
【特許文献４】特開２００５−２３００４０号公報
【発明の開示】
【発明が解決しようとする課題】
【００１６】
近年、スライドファスナーの用途は、衣類やかばん類を始め、様々な分野に拡大してきている。このため、スライドファスナーには、その用途に応じた特徴や機能を持たせることが求められており、ファスナーテープに対しても様々な特徴や風合いを持たせることが望まれている。
【００１７】
しかしながら、従来のファスナーテープは、細幅のテープを編成する経編機の編成空間が非常に狭小であることや、ニードルの強度上の問題から、ファスナーテープの経編組織が特定の種類に限定されてしまい、テープ自体に新たな特徴や優位性を付与することが難しかった。例えば、前記特許文献１や特許文献２等のように、ファスナーテープのエレメント取付部に、鎖編糸とともにトリコット編糸やシングルコード編糸のような２以上のウェールに渡って、ニードルループを形成しながらジグザグに走行する編糸を配した場合、同エレメント取付部に更に緯挿入糸を挿入することが難しく、エレメント取付部の強度をある程度以上に大きくすることができなかった。
【００１８】
一般に、スライドファスナーは、ファスナーエレメントのサイズが大きくなる程、ファスナーテープに求められる強度もより高くなる。従って、上記のようなエレメント取付部に緯挿入糸が挿入されていないファスナーテープは、その強度に限界があるため、取り付け可能なファスナーエレメントのサイズも限定されてしまうという欠点があった。このため、従来のシングル組織のファスナーテープは、例えばチェーン幅が７ｍｍ以上となるスライドファスナーのファスナーテープとして用いられることはなかった。
【００１９】
また、特許文献２に別の実施例として記載されているファスナーテープのように、エレメント取付部の編組織を鎖編糸と二目編糸で構成した場合は、同エレメント取付部に緯挿入糸を挿入することが可能である。しかしこの場合、鎖編糸は、ウェール方向に平行なシンカーループしか形成されず、また、二目編糸は、ウェール方向及びコース方向に平行なシンカーループしか形成されないため、エレメント取付部には、例えばトリコット編糸やシングルコード編糸のような隣接する各コース間で２以上のウェールに跨って斜めに走行するシンカーループが存在しない。
【００２０】
このため、エレメント取付部にトリコット編糸やシングルコード編糸が配された前記特許文献１のようなファスナーテープの場合では、例えばスライドファスナーの噛合時に横引き力が加えられた際に、エレメント取付部が幅方向に伸長するとともに、トリコット編糸やシングルコード編糸の斜めに走行するシンカーループによりエレメント取付部が長手方向に収縮する。これにより、ファスナーエレメント列の各エレメント間の間隔が狭められるため、左右のエレメント列の噛合強度が高くなる。従って、ファスナーテープに横引き力が加えられても噛合割れの発生を防ぐことが可能となる。
【００２１】
しかし、前記特許文献２に別の実施例として記載されているように、エレメント取付部が鎖編糸、二目編糸、及び緯挿入糸で形成されている場合、上述のように、エレメント取付部にシングルコード編糸等のような隣接する各コース間で２以上のウェールに跨って斜めに走行するシンカーループが存在しないため、ファスナーテープに横引き力が加えられても、エレメント取付部が長手方向に収縮しない。このため、左右のエレメント列の噛合強度を高めることができず、横引き力を受けた際に噛合割れが発生することがあった。
【００２２】
一方、例えば前記特許文献３や特許文献４などのように、エレメント取付部がダブル編組織で構成されている場合には、エレメント取付部の肉厚が必然的に厚くなるため、編物が本来有する柔らかさが損なわれてしまうという問題もあった。このため、従来では、ファスナーテープに柔らかさを持たせるために、編糸を細くしてテープの肉厚を薄くする等の工夫が行われていた。
【００２３】
しかしこの場合、スライドファスナーに柔らかさが得られる反面、エレメント取付部の強度が低下するという不具合があった。また、このようなエレメント取付部の強度低下を防ぐために、例えばエレメント取付部の編糸にハイマルチ糸を使用する等のように材質面での強化を図ることも可能であるが、その一方で、材料コストへの負担が大きくなるという問題もあった。
【００２４】
本発明は上記従来の課題に鑑みてなされたものであって、その具体的な目的は、編物が本来有する柔らかさを維持しつつ、エレメント取付部におけるテープ長手方向への伸長を抑制するとともにエレメント取付部の強度が向上しており、またスライドファスナーに用いた際に噛合割れの発生を防ぐことが可能なスライドファスナー用のファスナーテープ、及びファスナーストリンガーを提供することにある。
【課題を解決するための手段】
【００２５】
上記目的を達成するために、本発明により提供されるファスナーテープは、基本的な構成として、テープ主体部の一側縁に沿って複数のウェールからなるエレメント取付部が一体に編成されてなる経編組織からなるスライドファスナー用の細幅ファスナーテープであって、前記エレメント取付部には、少なくとも、隣り合う２以上のウェールに渡って、ニードルループを形成しながらジグザグに走行する第１の経編組織を構成する経編糸と、同じくニードルループを形成しながらジグザグに走行する前記第１の経編組織とは異なる第２の経編組織を構成する経編糸と、隣り合う２以上のウェールに渡って走行する緯挿入糸と、が配されてなり、前記第１の経編組織の前記ニードルループが１つのウェール上で１コースおきの前記第２の経編組織の前記ニードルループと交絡してなる、ことを特徴とするものである。
【００２６】
本発明に係るファスナーテープの一態様として、前記エレメント取付部は、トリコット編糸と、鎖編糸と、シングルコード編糸とから形成される編組織により構成されていることが好ましい。
【００２７】
また、前記エレメント取付部の各コース間において、前記シングルコード編糸のシンカーループと前記緯挿入糸とが互いに交差し、同エレメント取付部の最も外側に形成される第１ウェールに前記シングルコード編糸と前記緯挿入糸とが交互に配されていることが好ましい。更にこの場合、前記緯挿入糸は、前記シングルコード編糸が走行するウェール数よりも１つ以上少ないウェール間に跨って挿入されていることが好ましい。
本発明において、前記エレメント取付部には、経挿入糸が更に挿入されていることが好ましい。
【００２８】
一方、本発明に係るファスナーテープの別の態様として、前記エレメント取付部は、トリコット編糸と、トリコット型二目編糸と、一部のウェールに配される鎖編糸とから形成される編組織により構成されていることが好ましい。
【００２９】
また、前記エレメント取付部の各コース間において、前記トリコット型二目編糸のシンカーループと前記緯挿入糸とが互いに交差し、同エレメント取付部の最も外側に形成される第１ウェールに前記トリコット型二目編糸と前記緯挿入糸とが交互に配されていることが好ましい。更にこの場合、前記緯挿入糸は、前記トリコット型二目編糸が走行するウェール数よりも１つ以上少ないウェール間に跨って挿入されていることが好ましい。
本発明において、前記エレメント取付部には、経挿入糸が更に挿入されていることが好ましい。
【００３０】
そして、本発明によれば、前記構成を備えるファスナーテープの前記エレメント取付部にファスナーエレメント列が取り付けられているファスナーストリンガーが提供される。
【発明の効果】
【００３１】
本発明に係るスライドファスナー用の細幅ファスナーテープでは、エレメント取付部に、少なくとも、隣り合う２以上のウェールに渡って、ニードルループを形成しながらジグザグに走行する第１の経編組織を構成する経編糸と、同じくニードルループを形成しながらジグザグに走行する前記第１の経編組織とは異なる第２の経編組織を構成する経編糸と、隣り合う２以上のウェールに渡って走行する緯挿入糸とが配されてなり、前記第１の経編組織の前記ニードルループが１つのウェール上で１コースおきの前記第２の経編組織の前記ニードルループと交絡している。
【００３２】
細幅のファスナーテープを編成する従来の経編機は、その編成空間が狭いことや、ニードルの強度上の問題から、前述のように、ファスナーテープの経編組織が特定の種類に限定されていた。しかし、本発明者等は、経編機の構造等について鋭意研究を重ねた結果、狭い編成空間内にあっても、従来よりも各編目に交絡させる編糸の数や挿入糸の数を増やして細幅のファスナーテープを編成することが可能な新規のクロッシェ編機を開発することに成功した。そして、この新規のクロッシェ編機を用いてファスナーテープを編成することにより、その作製されたファスナーテープは、従来では得ることができなかった優れた品質を有していることを見出し、本発明を完成させるに至った。
【００３３】
即ち、エレメント取付部に、少なくとも、例えばトリコット編糸、シングルコード編糸、又はトリコット型二目編糸のように隣り合う２以上のウェールに渡って、ニードルループを形成しながらジグザグに走行する第１の経編組織を構成する経編糸と、同じくニードルループを形成しながらジグザグに走行する前記第１の経編組織とは異なる第２の経編組織を構成する経編糸と、隣り合う２以上のウェールに渡って走行する緯挿入糸とが配されてなり、前記第１の経編組織の前記ニードルループが１つのウェール上で１コースおきの前記第２の経編組織の前記ニードルループと交絡している本発明のファスナーテープは、前記経編糸の存在により、エレメント取付部の長手方向への伸長を抑制し、各エレメント間の間隔が大きくなることを防いで、エレメントのピッチを安定させることができる。なお、本発明でいうトリコット型二目編糸とは、各コースで隣接する２つのウェールにそれぞれニードルループを形成しながらジグザグ状に配され、例えば２−４／２−０の編組織を構成する編糸をいう（図９を参照）。
【００３４】
また、前記緯挿入糸の存在により、エレメント取付部の強度が向上するため、糸のほつれが生じ難く、更に、例えばチェーン幅が７ｍｍ以上となるスライドファスナー等に対して使用することが可能となり、その用途を大きく拡大させることができる。更に、本発明のファスナーテープは、エレメント取付部の肉厚が例えば前記ダブル編組織のように厚くなることもないため、編物が本来有する柔らかさを十分に備えたものとなる。
【００３５】
また、本発明のファスナーテープは、エレメント取付部が、トリコット編糸と、鎖編糸と、シングルコード編糸とから形成される編組織により構成されている。このようなファスナーテープは、エレメント取付部の長手方向への伸長を効果的に抑制することができ、例えばファスナーエレメントの縫着作業を安定して行うことができ、また、各エレメント間の間隔が大きくなることも防げる。
【００３６】
更に、本発明のファスナーテープでは、前記エレメント取付部の各コース間において、シングルコード編糸のシンカーループと緯挿入糸とが互いに交差しており、また、エレメント取付部の最も外側に形成される第１ウェールにシングルコード編糸と緯挿入糸とが交互に配されている。これにより、緯挿入糸の存在が、シングルコード編糸が配されていない部分の糸密度を高めるため、エレメント取付部の強度を更に向上させることができる。従って、得られたファスナーテープに連続状のファスナーエレメント列を縫工により取り付けた後、そのファスナーテープに強い横引き力が加えられても、ファスナーエレメント列の縫糸が刺通しているエレメント取付部の部分で裂損が生じるのを防ぐことができる。
【００３７】
この場合、本発明では、前記緯挿入糸が、シングルコード編糸が走行するウェール数よりも１つ以上少ないウェール間に跨って挿入されている。これにより、例えばスライドファスナーの噛合時に横引き力が加えられたときに、エレメント取付部では、シングルコード編糸が緯挿入糸に拘束されることなくファスナーテープの長手方向に収縮するように変位する。その結果、ファスナーエレメント列の各エレメント間の間隔を狭めて、左右のエレメント列の噛合強度を高めることができ、テープに横引き力が加えられても噛合割れの発生を防ぐことが可能となる。
【００３８】
また、前記ファスナーテープは、エレメント取付部に経挿入糸を更に挿入することが可能であり、これにより、エレメント取付部の長手方向への伸長を一層抑えるとともに、エレメント取付部の強度をより向上させることができる。
【００３９】
次に、本発明に係る別の態様のファスナーテープは、エレメント取付部が、トリコット編糸と、トリコット型二目編糸と、一部のウェールに配される鎖編糸とから形成される編組織により構成されている。このようなファスナーテープは、エレメント取付部の長手方向への伸長を効果的に抑制することができ、例えばファスナーエレメントの縫着作業を安定して行うことができ、また、各エレメント間の間隔が大きくなることも防げる。
【００４０】
更に、前記エレメント取付部の各コース間において、トリコット型二目編糸のシンカーループと緯挿入糸とが互いに交差しており、また、エレメント取付部の最も外側に形成される第１ウェールにトリコット型二目編糸と緯挿入糸とが交互に配されている。これにより、緯挿入糸の存在が、トリコット型二目編糸が配されていない部分の糸密度を高めるため、エレメント取付部の強度を向上させることができる。従って、前述と同様に、ファスナーテープにファスナーエレメント列を縫着した後に、そのファスナーテープに強い横引き力が加えられても、縫糸が刺通している部分で裂損の発生を防ぐことができる。
【００４１】
この場合、本発明では、前記緯挿入糸が、トリコット型二目編糸が走行するウェール数よりも１つ少ないウェール間に跨って挿入されている。これにより、例えばスライドファスナーの噛合時に横引き力が加えられたときに、各エレメント間の間隔が狭められる。従って、テープに横引き力が加えられても、左右のエレメント列の噛合強度を高めることができるため、噛合割れの発生を防ぐことが可能となる。
【００４２】
また、前記ファスナーテープは、エレメント取付部に経挿入糸を更に挿入することが可能であり、これにより、エレメント取付部の長手方向への伸長を一層抑えるとともに、エレメント取付部の強度をより向上させることができる。
【００４３】
そして、本発明により提供されるファスナーストリンガーは、前記構成を備えたファスナーテープのエレメント取付部にファスナーエレメント列が取り付けられたものである。このため、本発明のファスナーストリンガーは、編物が本来有する柔らかさを維持しつつ、エレメント取付部の長手方向への伸長が効果的に抑制される。また、エレメント取付部が従来よりも優れた強度を有しており、糸のほつれが生じ難く、更に例えば従来よりもチェーン幅が大きいスライドファスナー等に対して適用可能となるため、ファスナーストリンガーの用途を大きく拡大させることができる。
【発明を実施するための最良の形態】
【００４４】
以下、本発明を実施するための最良の形態を実施例に基づき図面を参照しながら詳細に説明する。なお、本発明は、以下で説明する実施例に限定されるものではなく、本発明と実質的に同一な構成を有し、かつ、同様な作用効果を奏しさえすれば、多様な変更が可能である。
【００４５】
例えば、以下の各実施例では、ファスナーテープの経編組織を具体的に説明している。しかし、本発明では、エレメント取付部に、少なくとも、２以上のウェールに渡って、ニードルループを形成しながらジグザグに走行する第１の経編組織を構成する経編糸と、同じくニードルループを形成しながらジグザグに走行する前記第１の経編組織とは異なる第２の経編組織を構成する経編糸と、隣り合う２以上のウェールに渡って走行する緯挿入糸とが配されていれば良く、下記各実施例で示している編糸以外の編糸を用いてファスナーテープを編成することも可能である。
【実施例１】
【００４６】
図１〜図３は、本発明の実施例１に係るスライドファスナー用のファスナーテープを示している。図１は、同ファスナーテープの全体の経編組織を示す編組織図であり、図２は、同ファスナーテープに使用する各構成編糸の編組織図であり、図３は、同ファスナーテープに連続状ファスナーエレメント列を取り付けたファスナーストリンガーの断面を模式的に示す断面図である。
【００４７】
本実施例１に係るファスナーテープ１は、３つの経糸ガイドバーを所定空間内で互いに干渉させることなく独立して駆動させることにより細幅テープを編成可能なクロッシェ編機を用いて編成可能な経編組織からなるテープである。この本実施例１のファスナーテープ１は、図１に示したように、全幅が第１ウェールＷ１〜第１４ウェールＷ１４により構成されており、第５ウェールＷ５〜第１０ウェールＷ１０がテープ主体部３を形成している。また、テープ主体部３の一側縁に沿って第１ウェールＷ１〜第４ウェールＷ４よりなるエレメント取付部２が形成され、テープ主体部３の反対側の側縁に沿って第１１ウェールＷ１１〜第１４ウェールＷ１４よりなる耳部４が形成されている。
【００４８】
前記テープ主体部３は、図２に示すような１−２／１−０の閉じ目のトリコット編糸１１と、１−０／０−１の開き目の鎖編糸１２と、シンカーループが４つのウェールに跨って走行する３−４／１−０の閉じ目のシングルコード編糸１３とにより編成されており、このテープ主体部３の経編組織の各編目は、上記３つの編糸１１，１２，１３のニードルループを交絡して形成されている。
【００４９】
なお、本実施例において、シングルコード編糸１３は上記のように閉じ目で編成されている。しかし、本発明はこれに限定されず、例えば図４に示すように４−３／０−１の開き目のシングルコード編糸１３’で編成することが可能であり、また、テープ主体部３を構成するトリコット編糸１１及び鎖編糸１２についても、閉じ目又は開き目を任意に選択することができる。
【００５０】
前記エレメント取付部２は、上述のテープ主体部３の編組織に、第１ウェールＷ１〜第３ウェールＷ３に跨ってジグザグ状に挿入される０−０／３−３の１本の緯挿入糸１４と、第１ウェールＷ１〜第４ウェールＷ４の各ウェールで経方向にジグザグ状に挿入される０−０／１−１の経挿入糸１５とが編成されて構成されている。
【００５１】
即ち、本実施例１では、エレメント取付部２に、前記緯挿入糸１４が配されているとともに、２以上のウェールに渡って、ニードルループを形成しながらジグザグに走行する第
１の経編組織を構成する経編糸と、同じくニードルループを形成しながらジグザグに走行する前記第１の経編組織とは異なる第２の経編組織を構成する経編糸とが配されており、前記第１の経編組織の前記ニードルループが１つのウェール上で１コースおきの前記第２の経編組織の前記ニードルループと交絡している経編糸として、トリコット編糸１１及びシングルコード編糸１３が配されている。
【００５２】
また、このエレメント取付部２では、前記緯挿入糸１４が、その地組織を構成する前記シングルコード編糸１３のシンカーループと各コース間において交差するように挿入されている。更に、これらのシングルコード編糸１３と緯挿入糸１４とは、第１ウェールＷ１に交互に配されるように編成されている。これにより、エレメント取付部２において、シングルコード編糸１３が配されていない部分には緯挿入糸１４が配されるようになるため、部分的な糸密度の低下を防いで、エレメント取付部２の強度を向上させている。なお、この場合、緯挿入糸１４がトリコット編糸１１及びシングルコード編糸１３で隠れるように挿入されることにより、トリコット編糸１１及びシングルコード編糸１３により形成されるサテン模様をファスナーテープ１に表出することが可能となる。
【００５３】
特に、エレメント取付部２には、各ウェールに経挿入糸１５が挿入されているとともに、テープ主体部３に隣接する第４ウェールＷ４上の各編目は、トリコット編糸１１、鎖編糸１２、及びシングルコード編糸１３の３つのニードルループを交絡して形成されている。このため、エレメント取付部２の強度は、より一層高められている。
【００５４】
前記耳部４は、エレメント取付部２と同様の編組織で構成されている。即ち、テープ主体部３の編組織に、第１２ウェールＷ１２〜第１４ウェールＷ１４の３ウェールに跨って挿入される緯挿入糸１４と、第１１ウェールＷ１１〜第１４ウェールＷ１４の各ウェールで経方向に挿入される経挿入糸１５とが編成されて構成されている。また、シングルコード編糸１３と緯挿入糸１４とは、耳部４の各コース間において互いに交差し、且つ、最外縁の第１４ウェールＷ１４で交互に配されるように編成されている。
【００５５】
このようにファスナーテープ１のエレメント取付部２と耳部４とを同じ編組織で構成することにより、ファスナーテープ１の左右端縁部における編組織のバランスが取れるため、テープにねじれや湾曲が生じることを防いで、そのテープ形状を安定させることができる。また、必要に応じて、エレメント取付部２ではなく、耳部４にエレメント列を取り付けることが可能であり、ファスナーテープ１の利便性が向上する。
【００５６】
なお、本発明において、ファスナーテープ１に用いられる各編糸１１、１２、１３及び各挿入糸１４，１５の材質や太さについては特に限定されるものではなく、従来から一般的に使用されているマルチフィラメント糸やテクスチャード糸等を用いることができ、用途等に応じて任意に選択することができる。
【００５７】
以上のような本実施例１のファスナーテープ１は、エレメント取付部２の長手方向への伸長が抑制され、また、エレメント取付部２の強度も、従来の前記特許文献１や特許文献に記載されているようなシングル組織の細幅ファスナーテープに比べて向上している。従って、従来のファスナーテープでは強度不足のために用いることができなかったチェーン幅が７ｍｍ以上となるスライドファスナー等に適用することが可能となり、その用途を大幅に拡大できる。
【００５８】
また、このようなファスナーテープ１は、強度が向上しているにも関わらず、編物が本来有している柔らかさが殆ど損なわれておらず、また、糸のほつれが発生しにくくなり、従来のファスナーテープでは得られない特徴や優位性を有している。更に、例えばファスナーテープ１を構成する編糸に安価なローカウント糸（太番手糸）を用いることにより、ファスナーテープ１の強度を一層向上させるとともに、ファスナーテープのコストダウンを図ることが可能となる。
【００５９】
そして、上記本実施例１のファスナーテープ１に、モノフィラメントから成形された連続状のファスナーエレメント列４１を取り付けることにより、図３に示すようなファスナーストリンガー５が作製される。この場合、先ず、コイル状に成形されたエレメント列４１の中空部に芯紐４２を挿通し、同エレメント列４１をその噛合頭部４３をテープ外側に向けてファスナーテープ１のエレメント取付部２の所定位置に載置する。次に、第１ウェールＷ１と第２ウェールＷ２との間の溝部４４ａ、及び第２ウェールＷ２と第３ウェールＷ３との間の溝部４４ｂにミシン針を刺通することにより、縫着糸４５として２本のニードル糸４５ａとルーパー糸４５ｂとが各エレメント４１ａの上脚部４６及び下脚部４７を締め付けるようにして、エレメント列４１及び芯紐４２をファスナーテープ１に縫着する。このとき、エレメント取付部２の前記各溝部４４ａ，４４ｂにはニードル糸４５ａがそれぞれ配置される。
【００６０】
上記のようにして作製されたファスナーストリンガー５では、ファスナーテープ１のエレメント取付部２にシングルコード編糸１３と緯挿入糸１４とが上述のように配されていることにより、糸密度の部分的な低下を防いでエレメント取付部２の強度を高めている。従って、ファスナーストリンガー５に強い横引き力が加えられても、ニードル糸４５ａが刺通している部分でファスナーテープ１に裂損が生じることを防ぐことができる。また、エレメント取付部２の緯挿入糸１４及び経挿入糸１５が挿入されている第１ウェールＷ１〜第３ウェールＷ３では、テープの長手方向にも幅方向にも伸長が抑制されるため、エレメント列４１の取付状態が安定している。このため、ファスナーストリンガー５を長期に渡り安定して使用することが可能となる。
【００６１】
更に、本実施例１のファスナーテープ１では、エレメント取付部２に配される緯挿入糸１４が、シングルコード編糸１３が走行するウェール数よりも１つ少ない３つのウェール間に跨って挿入されている。このため、ファスナーストリンガー５に横引き力が加えられたときに、シングルコード編糸１３及び緯挿入糸１４が互いに拘束されることはないので、ファスナーストリンガー５のエレメント取付部２（第１ウェールＷ１〜第４ウェールＷ４）はテープ幅方向に若干伸長するとともに長手方向で収縮し、その結果、連続状のエレメント列４１における各エレメント間隔が短くなる。
【００６２】
これにより、例えば左右一組の前記ファスナーストリンガー５にスライダーを挿通して、左右の対向するファスナーエレメント列４１を噛合した場合に、エレメント噛合時に左右のファスナーテープ１に対して横引き力が加えられても、エレメント間隔が短くなることによってその噛合強度が高められるため、噛合割れの発生を防ぐことが可能となる。
【００６３】
なお、本実施例１の変形例となるファスナーテープ１’を図５に示す。この図５に示したファスナーテープ１’は、エレメント取付部２の構成（編組織）が図１に示した実施例１のファスナーテープ１と同一であるが、テープ主体部３’の構成（編組織）が実施例１のファスナーテープ１と異なっている。
【００６４】
即ち、図５に示したファスナーテープ１’のテープ主体部３’は、１−２／１−０の閉じ目のトリコット編糸１１と、シンカーループが４つのウェールに跨って走行する３−４／１−０の閉じ目のシングルコード編糸１３とにより編成されており、１−０／０−１の開き目の鎖編糸１２が省略されている。
【００６５】
このようなファスナーテープ１’であっても、エレメント取付部２の長手方向への伸長が抑制され、また、エレメント取付部２の強度も従来に比べて向上しているため、実施例１のファスナーテープ１で説明した効果と同様の効果を得ることができる。また、このファスナーテープ１’は、テープ主体部に鎖編糸１２が配されていないため、実施例１のファスナーテープ１に比べて、テープ主体部の強度は劣るものの、テープ主体部の伸縮性が向上する。このため、例えばスライドファスナーを衣類等の被着物へ取り付ける際に、取り付けを体裁良く行うことができ、また、被着物の伸縮あるいは湾曲動作にも容易に順応することができる。
【実施例２】
【００６６】
次に、本発明の実施例２に係るファスナテープについて説明する。ここで、図６は、本実施例２のファスナーテープの経編組織を部分的に示す編組織図であり、図７は、同ファスナーテープに連続状ファスナーエレメント列を取り付けたファスナーストリンガーの断面を模式的に示す断面図である。なお、本実施例２、及びその後に説明する実施例３及び４では、前記実施例１と同様の構成を有する編糸や部材については、同じ符号を用いることによってその説明を省略して、前記実施例１と異なる構成を中心に説明を行う。
【００６７】
図６に示した本実施例２のファスナーテープ２１は、経編組織を有するテープ主体部２３の一側縁に沿って第１ウェールＷ１〜第３ウェールＷ３よりなるエレメント取付部２２が形成されており、また、同テープ主体部２３の他側縁には図示していない耳部が形成されている。
【００６８】
本実施例２のファスナーテープ２１では、そのテープ主体部２３が、前記実施例１と同様の編組織を形成するトリコット編糸１１及び鎖編糸１２と、シンカーループが３つのウェールに跨って走行する２−３／１−０の閉じ目のシングルコード編糸１６とにより編成されており、各編目には上記３つの編糸１１，１２，１６のニードルループが交絡している。なお、これらのトリコット編糸１１、鎖編糸１２、及びシングルコード編糸１６は、前記実施例１と同様に、閉じ目又は開き目を任意に選択することができる。
【００６９】
前記エレメント取付部２２は、前記実施例１よりも１ウェール少ない３つのウェールＷ１〜Ｗ３で構成されている。また、エレメント取付部２２は、本実施例２のテープ主体部２３の編組織に、第１ウェールＷ１及び第２ウェールＷ２に跨ってジグザグ状に走行する０−０／２−２の１本の緯挿入糸１７と、第１ウェールＷ１〜第３ウェールＷ３の各ウェールで経方向にジグザグ状に走行する０−０／１−１の経挿入糸１５とが挿入されている。
【００７０】
即ち、本実施例２でも、エレメント取付部２２に、前記緯挿入糸１７が配されているとともに、２以上のウェールに渡って、ニードルループを形成しながらジグザグに走行する第１の経編組織を構成する経編糸と、同じくニードルループを形成しながらジグザグに走行する前記第１の経編組織とは異なる第２の経編組織を構成する経編糸とが配されており、前記第１の経編組織の前記ニードルループが１つのウェール上で１コースおきの前記第２の経編組織の前記ニードルループと交絡している経編糸として、トリコット編糸１１及びシングルコード編糸１６が配されている。
【００７１】
また、エレメント取付部２２において、緯挿入糸１７は、シングルコード編糸１６と各コース間において交差するように挿入されており、更に、シングルコード編糸１６と緯挿入糸１７とが第１ウェールＷ１に交互に配されるように編成されている。これにより、部分的な糸密度の低下を防いで、エレメント取付部２２の強度を向上させている。なお、本実施例２において不図示の耳部は、エレメント取付部２２とは反対側のテープ主体部２３の側縁に沿って、上記エレメント取付部２２と同様の編組織で３ウェールに渡って形成されている。これにより、ファスナーテープ２１の左右のバランスをとるとともにテープの利便性を向上させている。
【００７２】
このような本実施例２のファスナーテープ２１は、編物本来の柔らかさを保持するとともに、エレメント取付部２２の長手方向への伸長が抑制され、また、エレメント取付部２２の強度も、従来のシングル組織の細幅ファスナーテープに比べて向上している。従って、前記実施例１と同様に、糸のほつれが発生しにくく、また、チェーン幅が７ｍｍ以上となるスライドファスナー等に適用することが可能である。
【００７３】
そして、本実施例２のファスナーテープ２１に、連続状のファスナーエレメント列４１を取り付けることにより、図７に示すようなファスナーストリンガー２５が作製される。なお、ファスナーエレメント列４１の取り付けは、基本的に前記実施例１と同様の方法で行うことができるが、本実施例２のファスナーテープ２１は上述のようにエレメント取付部２２が３つのウェールＷ１〜Ｗ３で構成されているため、第１及び第２ウェールＷ１，Ｗ２間の溝部４４ａのみにミシン針を刺通させて、同溝部４４ａに配される１本のニードル糸４５ａとルーパー糸４５ｂとにより、エレメント列４１及び芯紐４２をファスナーテープ２１に縫着している。
【００７４】
このようにして作製されたファスナーストリンガー２５は、前記実施例１のファスナーストリンガー５と同様の効果を得ることができる。即ち、エレメント取付部２２の強度が高いため、強い横引き力が加えられても、ニードル糸４５ａが刺通している部分で裂損が生じることを防ぐことができる。また、エレメント噛合時に左右のファスナーテープ２１に横引き力が加えられても、エレメント取付部２２が長手方向に収縮してエレメント列４１の各エレメント間隔が短くなるため、結果的に噛合強度が高められて噛合割れの発生を防ぐことが可能となる。
【実施例３】
【００７５】
図８及び図９は、本発明の実施例３に係るファスナーテープを示している。図８は、本実施例３のファスナーテープの経編組織を部分的に示す編組織図であり、図９は、同ファスナーテープに使用する各構成編糸の編組織図である。
【００７６】
本実施例３に係るファスナーテープ３１は、テープ主体部３３の一側縁に沿って第１ウェールＷ１〜第４ウェールＷ４からなるエレメント取付部３２が形成されており、また、同テープ主体部３３の他側縁には図示していない耳部が形成されている。
【００７７】
前記テープ主体部３３は、図９に示すような１−２／１−０の閉じ目のトリコット編糸１１と、４つのウェールに跨って編目を形成する２−４／２−０のトリコット型二目編糸１８とにより編成されて経編組織を構成している。
【００７８】
前記エレメント取付部３２は、上述のテープ主体部３３の編組織に、１−０／０−１の開き目の鎖編糸１２が第１及び第２ウェールＷ１，Ｗ２に配されて交絡し、更に、第１ウェールＷ１〜第３ウェールＷ３に跨ってジグザグ状に挿入される１本の緯挿入糸１４と、第１ウェールＷ１〜第４ウェールＷ４の各ウェールで経方向にジグザグ状に挿入される経挿入糸１５とが編成されて構成されている。
【００７９】
即ち、本実施例３では、エレメント取付部３２に、前記緯挿入糸１４が配されているとともに、２以上のウェールに渡って、ニードルループを形成しながらジグザグに走行する第１の経編組織を構成する経編糸と、同じくニードルループを形成しながらジグザグに走行する前記第１の経編組織とは異なる第２の経編組織を構成する経編糸とが配されており、前記第１の経編組織の前記ニードルループが１つのウェール上で１コースおきの前記第２の経編組織の前記ニードルループと交絡する経編糸として、トリコット編糸１１とトリコット型二目編糸１８とが配されている。
【００８０】
また、本実施例３では、鎖編糸１２を第１及び第２ウェールＷ１，Ｗ２に配することにより、テープ側縁部の形状を安定させており、また、前記実施例１では第３及び第４ウェールＷ３，Ｗ４に配していた鎖編糸１２を省略することにより、ファスナーテープの肉厚がウェールＷ３，Ｗ４にて部分的に厚くなることを防いでいる。
【００８１】
また、このエレメント取付部３２では、前記緯挿入糸１４が、トリコット型二目編糸１８のシンカーループと各コース間において交差するように挿入されており、更に、トリコット型二目編糸１８と緯挿入糸１４とが第１ウェールＷ１に交互に配されるように編成されている。これにより、エレメント取付部３２においては、トリコット型二目編糸１８が配されていない部分に緯挿入糸１４が配されるようになるため、部分的な糸密度の低下を防いで、エレメント取付部３２の強度を向上させている。
【００８２】
なお、本実施例３において、耳部は、テープ主体部３３の他側縁側の４ウェールにおいて、上記エレメント取付部３２と同様の編組織で構成されており、ファスナーテープ３１の左右のバランスをとるとともに、テープの利便性を向上させている。
【００８３】
以上のような本実施例３のファスナーテープ３１は、編物本来の柔らかさを保持している。それとともに、エレメント取付部３２の長手方向への伸長が抑制され、また、エレメント取付部３２の強度も、従来のシングル組織の細幅ファスナーテープに比べて向上している。従って、前記実施例１と同様に、糸のほつれが発生しにくく、また、チェーン幅が７ｍｍ以上となるスライドファスナー等に使用することが可能となり、その用途を大きく拡大させることができる。
【００８４】
更に、本実施例３のファスナーテープ３１に、連続状のファスナーエレメント列４１を前記実施例１と同様にして取り付けることによって、ファスナーストリンガーが作製される。このファスナーテープ３１から作製されたファスナーストリンガーであれば、エレメント取付部３２の強度がトリコット型二目編糸１８と緯挿入糸１４とにより高められているため、ニードル糸が刺通している部分で裂損が生じることを防ぐことができる。
【００８５】
更に、本実施例３のファスナーテープ３１では、エレメント取付部３２に配される緯挿入糸１４が、トリコット型二目編糸１８が配されるウェール数よりも１つ少ない３つのウェール間に跨って挿入されている。従って、例えばエレメント噛合時に左右のファスナーテープ３１に横引き力が加えられても、前記実施例１の場合と同様に、ファスナーテープ３１のエレメント取付部３２が長手方向に収縮して各エレメント間隔が短くなるため、結果的に噛合強度が高められて噛合割れの発生を防ぐことが可能となる。
【実施例４】
【００８６】
図１０は、本発明の実施例４に係るファスナーテープ５１の経編組織を部分的に示す編組織図である。
本実施例４に係るファスナーテープ５１は、テープ主体部５３の一側縁に沿って第１ウェールＷ１〜第４ウェールＷ４からなるエレメント取付部５２が形成されており、また、同テープ主体部５３の他側縁には図示していない耳部が形成されている。
【００８７】
前記テープ主体部５３は、前記実施例１と同じ編組織を有している。即ち、このテープ主体部５３は、１−２／１−０の閉じ目のトリコット編糸１１と、１−０／０−１の開き目の鎖編糸１２と、シンカーループが４つのウェールに跨って走行する３−４／１−０の閉じ目のシングルコード編糸１３とにより編成されている。
【００８８】
前記エレメント取付部５２は、上述のテープ主体部５３の編組織に、第１ウェールＷ１〜第３ウェールＷ３と、第２ウェールＷ２〜第４ウェールＷ４とに跨ってジグザグ状に挿入される０−０／３−３の２本の緯挿入糸１４と、第１ウェールＷ１〜第４ウェールＷ４の各ウェールで経方向にジグザグ状に挿入される０−０／１−１の経挿入糸１５とが編成されて構成されている。
【００８９】
即ち、本実施例４では、エレメント取付部５２に、２本の前記緯挿入糸１４が配されているとともに、２以上のウェールに渡って、ニードルループを形成しながらジグザグに走行する第１の経編組織を構成する経編糸と、同じくニードルループを形成しながらジグザグに走行する前記第１の経編組織とは異なる第２の経編組織を構成する経編糸とが配されており、前記第１の経編組織の前記ニードルループが１つのウェール上で１コースおきの前記第２の経編組織の前記ニードルループと交絡する経編糸として、トリコット編糸１１及びシングルコード編糸１３が配されている。
【００９０】
また、エレメント取付部５２において、２本の緯挿入糸１４は、シングルコード編糸１６と各コース間において交差するように挿入されており、更に、シングルコード編糸１６と、第１ウェールＷ１〜第３ウェールＷ３を走行する緯挿入糸１４とが第１ウェールＷ１に交互に配されるように編成されている。これにより、部分的な糸密度の低下を防いで、エレメント取付部５２の強度を向上させている。
【００９１】
このような本実施例４のファスナーテープ５１は、編物本来の柔らかさを保持するとともに、エレメント取付部５２の長手方向への伸長が抑制される。また、エレメント取付部５２には２本の緯挿入糸１４が挿入されているため、エレメント取付部５２の強度は、実施例１のファスナーテープ１よりも更に向上している。
【００９２】
そして、本実施例４のファスナーテープ５１に、連続状のファスナーエレメント列４１を前記実施例１と同様にして取り付けることによって、ファスナーストリンガーが作製される。このファスナーテープ５１から作製されたファスナーストリンガーは、エレメント取付部５２の強度が非常に高いため、ファスナーストリンガーに強い横引き力が加えられても、エレメント取付部５２に裂損が生じることを効果的に防ぐことができる。また、エレメント取付部５２の第１ウェールＷ１〜第４ウェールＷ４に渡って緯挿入糸１４及び経挿入糸１５が挿入されているため、テープの長手方向にも幅方向にも伸長が抑制され、エレメント列４１の取付状態が非常に安定している。このため、ファスナーストリンガー５を長期に渡り安定して使用することが可能となる。
【産業上の利用可能性】
【００９３】
本発明は、連続状のファスナーエレメント列が縫着されることによりスライドファスナーのファスナーストリンガーとして用いられるスライドファスナー用のファスナーテープ、及び、そのファスナーストリンガーに有効に適用される。
【図面の簡単な説明】
【００９４】
【図１】実施例１のファスナーテープの全体の経編組織を示す編組織図である。
【図２】同ファスナーテープに使用する各構成編糸の編組織図である。
【図３】同ファスナーテープに連続状ファスナーエレメント列を取り付けたファスナーストリンガーの断面を模式的に示す断面図である。
【図４】実施例１に用いることができる別のシングルコード編糸の編組織図である。
【図５】実施例１の変形例におけるファスナーテープの経編組織を部分的に示す編組織図である。
【図６】実施例２のファスナーテープの経編組織を部分的に示す編組織図である。
【図７】同ファスナーテープに連続状ファスナーエレメント列を取り付けたファスナーストリンガーの断面を模式的に示す断面図である。
【図８】実施例３のファスナーテープの経編組織を部分的に示す編組織図である。
【図９】同ファスナーテープに使用する各構成編糸の編組織図である。
【図１０】実施例４のファスナーテープの経編組織を部分的に示す編組織図である。
【符号の説明】
【００９５】
１，１’          ファスナーテープ
２                エレメント取付部
３，３’          テープ主体部
４                耳部
５                ファスナーストリンガー
１１                トリコット編糸
１２                鎖編糸
１３，１３’        シングルコード編糸
１４                緯挿入糸
１５                経挿入糸
１６                シングルコード編糸
１７                緯挿入糸
１８                トリコット型二目編糸
２１                ファスナーテープ
２２                エレメント取付部
２３                テープ主体部
２５                ファスナーストリンガー
３１                ファスナーテープ
３２                エレメント取付部
３３                テープ主体部
４１                ファスナーエレメント列
４１ａ              エレメント
４２                芯紐
４３                噛合頭部
４４ａ，４４ｂ      溝部
４５                縫着糸
４５ａ              ニードル糸
４５ｂ              ルーパー糸
４６                上脚部
４７                下脚部
５１                ファスナーテープ
５２                エレメント取付部
５３                テープ主体部
Ｗ１〜Ｗ１４        第１ウエール〜第１４ウエール
【図１】
0004731378.tif 000002
【図２】
0004731378.tif 000003
【図３】
0004731378.tif 000004
【図４】
0004731378.tif 000005
【図５】
0004731378.tif 000006
【図６】
0004731378.tif 000007
【図７】
0004731378.tif 000008
【図８】
0004731378.tif 000009
【図９】
0004731378.tif 000010
【図１０】
0004731378.tif 000011